(57)【要約】【課題】セット板の製造に際して、大型の成型機を必要とすることなく、製造工程も簡略化できながら、セット板の強度を十分に高めることができると共に点検作業も容易に行い得るところの遊技機を提供すること。【解決手段】遊技盤とは別体に構成されたセット板が遊技機の裏面側に配置され、複数の構成体からなり、各構成体に夫々重ね連結部を設け、各重ね連結部は、互いに対向接当する連結支持面を有すると共に少なくもとも何れか一方の重ね連結部に補強リブを有し、該補強リブは、他方の重ね連結部に対向し接当又は接当可能とされた支持面を有し、該重ね連結部の前記支持面の周部の複数個所で固結手段によって互いに連結固定する。【選択図】      図９
2011167554.tif 000002
【特許請求の範囲】
【請求項１】
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型された複数の構成体からなり、
前記複数の構成体に夫々重ね連結部を設け、各重ね連結部は、互いに対向接当する連結支持面を有すると共に少なくもとも何れか一方の重ね連結部に補強リブを有し、該補強リブは、他方の重ね連結部に対向し接当又は接当可能とされた支持面を有し、該重ね連結部の前記連結支持面の周部の複数個所で固結手段によって互いに連結固定するように構成したことを特徴とする遊技機。
【請求項２】
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型され、前記払出機構を備えるように構成された第１パーツと、樹脂により成型され、少なくとも一つの制御基板を配設するように構成された第２パーツと、を有するように構成され、前記第１パーツの下部と第２パーツの一端部に夫々重ね連結部を設け、互いに連結固定するように構成されていることを特徴とする遊技機。
【請求項３】
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型されると共に前記払出機構を備えるように形成された第１パーツと、樹脂により成型されると共に該第１パーツの下方に配設される第３パーツと、を有し、
前記第１パーツは、前記貯留部の一側壁に沿って上下方向に伸びる側壁支持部と、該側壁支持部に連続すると共に前記貯留部の底壁に沿って前後方向に伸びる底壁支持部と、該底壁支持部に連続すると共に下方に垂下する連結部と、を有するとともに、少なくとも前記側壁支持部に対して前記貯留部を固定し、
前記第３パーツは、前後方向に伸びる第２底壁支持部と、該第２底壁支持部に連続すると共に上下方向に伸びる第２連結部と、を有し、
前記第１パーツの連結部、及び前記第３パーツの第２連結部が、夫々対向する面を有してその所定箇所で互いに連結固定するように構成され、
更に、前記連結固定がされたときに、前記第１パーツの底壁支持部の下方に、前記第３パーツの第２底壁支持部が接当若しくは近接するようにしたことを特徴とする遊技機。
【発明の詳細な説明】
【技術分野】
【０００１】
本発明は、パチンコ機等の遊技機に関するものである。
【背景技術】
【０００２】
昨今のこの種の遊技機としては、一般に、遊技進行に必要な種々の制御機器、例えば、遊技球の払出制御装置、発射制御装置、電源制御装置、制御基板等が備えられている。こうした制御機器は、通常、殆ど遊技機の背面に配置されている。
そして、遊技球を貯留するタンク、タンクレール、垂下通路、払出装置などの払出ユニットも遊技機の背面に配置されている。これらの機器等は、通常、遊技盤とは別体に構成された機構板（セット板）に取り付けられる。
このように、払出ユニット等を機構板に敷設する方式を採ることで、払出ユニットを遊技機本体側に残しつつ遊技盤だけを取り外すことができて、払出ユニットを容易に流用できるようにしている。
また、近年においては遊技領域の略中央に配置された表示演出を行うための表示装置が大型化し、更にそれに伴い減少する遊技領域をできるだけ大きく確保すべく遊技盤が大型化する傾向にある。
このような機構版を採用した従来技術としては、例えば、次の文献を挙げることができる。
【先行技術文献】
【特許文献】
【０００３】
【特許文献１】特開２００２−３０１２４６号公報
【発明の概要】
【発明が解決しようとする課題】
【０００４】
しかし乍ら、従来の機構板にあっては、樹脂で成型されるものであるので、例えば、次の問題が生じていた。
第１に、機構板を一体成型されている場合には、それを成型するために大型の成型機が必要であり、そうした大型の成型設備がなければ成型が不可能であるし、また、大型の成型機自体の設備コストも高くつく。
更に、近年のセット板は、遊技盤の大型化に伴い例えば払出機構の垂下通路が延びるなどし、これに伴ってセット板も大型化する傾向にある。
【０００５】
第２に、樹脂成型によって機構板が構成されるものであるので、元来、強度を強く出すことが困難である。さらに、近年のセット板は、表示装置等の大型化に伴い中央の開口（セット板をコの字状、又は枠形状などに形成して遊技盤裏面の形状に合うようにした場合の開口を指す）が大きくなり、更に強度を保つことが困難になってきている。
そして、大量の遊技球を貯留するタンクを備えた払出ユニットは重量があるもので、これを機構板に敷設すると撓み等を生じ、その結果、払出ユニット内部で遊技球が遊詰まりを起こして払い出しがスムースに行われなくなってしまう等のトラブルを発生し、引いては機構板に敷設した他の構成物にも悪影響を及ぼす虞があった。この問題を解消するべく、例えば、金属板を所要箇所に敷設して補強を図ることが考えられるが、この方法では部品点数が増えると共に遊技機の重量が増すことになり、また、コストも増大することになる。
【０００６】
第３に、払出機構と電気的に接続され、払出に関する制御を行う制御基板がセット板に設けられていない場合、例えば別個の取付板に配置されている場合には、例えば、配線の接続時期などが限定されるなどして遊技機の製造工程が複雑化する。
【０００７】
本発明は、セット板の製造に際して、大型の成型機を必要とすることなく、製造工程も簡略化できながら、セット板の強度を十分に高めることができると共に点検作業も容易に行い得るところの遊技機を提供することにある。
【課題を解決するための手段】
【０００８】
本発明に係る遊技機は、
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型された複数の構成体からなり、
前記複数の構成体に夫々重ね連結部を設け、各重ね連結部は、互いに対向接当する連結支持面を有すると共に少なくもとも何れか一方の重ね連結部に補強リブを有し、該補強リブは、他方の重ね連結部に対向し接当又は接当可能とされた支持面を有し、該重ね連結部の前記連結支持面の周部の複数個所で固結手段によって互いに連結固定するように構成したことを特徴としている。
また、本発明に係る遊技機は、
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型され、前記払出機構を備えるように構成された第１パーツと、樹脂により成型され、少なくとも一つの制御基板を配設するように構成された第２パーツと、を有するように構成され、前記第１パーツの下部と第２パーツの一端部に夫々重ね連結部を設け、互いに連結固定するように構成されていることを特徴としている。
また、本発明に係る遊技機は、
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型されると共に前記払出機構を備えるように形成された第１パーツと、樹脂により成型されると共に該第１パーツの下方に配設される第３パーツと、を有し、
前記第１パーツは、前記貯留部の一側壁に沿って上下方向に伸びる側壁支持部と、該側壁支持部に連続すると共に前記貯留部の底壁に沿って前後方向に伸びる底壁支持部と、該底壁支持部に連続すると共に下方に垂下する連結部と、を有するとともに、少なくとも前記側壁支持部に対して前記貯留部を固定し、
前記第３パーツは、前後方向に伸びる第２底壁支持部と、該第２底壁支持部に連続すると共に上下方向に伸びる第２連結部と、を有し、
前記第１パーツの連結部、及び前記第３パーツの第２連結部が、夫々対向する面を有してその所定箇所で互いに連結固定するように構成され、
更に、前記連結固定がされたときに、前記第１パーツの底壁支持部の下方に、前記第３パーツの第２底壁支持部が接当若しくは近接するようにしたことを特徴とする遊技機。
【発明の効果】
【０００９】
本発明によれば、セット板の製造に際して、大型の成型機を必要とすることなく、製造工程も簡略化できながら、セット板の強度を十分に高めることができると共に点検作業も容易に行い得る。
即ち、セット板を複数の構成体（パーツ）の連結により一体構成としたことで、セット板の成型に際して、セット板を一体成型するのに必要な大型の成型機が不要となり、大型成型設備を備えていなくても容易に成型できる。又、複数のパーツの連結により一つのセット板として構成されていて、その少なくとも一つのパーツの取り付け部により遊技機の本体に取り付けられるようにしているので、製造工程を簡略化できる。
更に、複数のパーツの連結は、その重ね連結部において行っているので、即ち、各々が、互いに対向接当する連結支持面を有すると共に少なくもとも何れか一方の重ね連結部に補強リブを有し、該補強リブは、他方の重ね連結部に対向し接当又は接当可能とされた支持面を有するところの重ね連結部において、その連結支持面と補強リブとの合わせと、該重ね連結部の前記支持面の周部の複数個所で固結手段によって互いに連結固定するようにして行っているので、単純な平面と平面との連結と比べてより強固な連結を行い得るのであり、金属補強金属補強部材を用いることなく、この連結部での強度を上げることが出来る。
【図面の簡単な説明】
【００１０】
【図１】本発明にかかる遊技機の一例としてのパチンコ機の正面図。
【図２】パチンコ機の一部分解斜視図。
【図３】パチンコ機の前面枠セットを取り外した状態を示す正面図。
【図４】パチンコ機の遊技盤の構成を示す正面図。
【図５】パチンコ機の前面枠セットの背面図。
【図６】パチンコ機の背面図。
【図７】パチンコ機の第２制御基板ユニットを取り外した背面図。
【図８】パチンコ機のセット板の裏面側から見た分解斜視図。
【図９】パチンコ機のセット板の前面側から見た分解斜視図。
【図１０】パチンコ機のセット板の要部の分解斜視図。
【図１１】パチンコ機のセット板の要部の縦断側面図。
【図１２】パチンコ機の支持金具の斜視図。
【図１３】パチンコ機の第１制御基板ユニットの裏面から見た正面図。
【図１４】第１制御基板ユニットを裏面側から見た２パーツ分解斜視図。
【図１５】第１制御基板ユニットを裏面側から見た３パーツ分解斜視図。
【図１６】第１制御基板ユニットを前面側から見た２パーツ分解斜視図。
【発明を実施するための形態】
【００１１】
上記の目的を達成するための有効な手段を以下に示す。なお、必要に応じてその作用等についても説明する。
また、本発明において用いた次の述語について、ここで定義をしておく。
貯留部とは、遊技場の島設備から供給された遊技球を受けるタンク（タンクと払出装置とが直結されている場合）、又はそのタンクから下流側（遊技球の移動下手側）の払出装置に向かって延びるタンクレールを指す（払出装置への接続にタンクレールが介在されている場合）。
セット板とは、払出ユニットを取り付けるためのベースとなるものである。
【００１２】
払出ユニットとは、遊技球を貯留可能な貯留部と、遊技球の払出動作を行う払出装置と、払出装置の下流側で遊技球を誘導する誘導通路とを有する。しかし、この他に、バイブレータ、ケースレール等を備えるものであってもよい。
遊技機の本体とは、ここでは、前記セット板を取り付ける対象として引用しているが、この意味において、ここでは内枠がこれに該当することになるも、他に、介在する部材が存在する場合には、それらの部材も含むものであり、要するに前記セット板を取り付けるべき部材の全てを意味するものである。
また、２者の連結の形態としては、連結ボルトやネジ自体が両者を締め付けるのではなく、それ自体が連結部材となる形態の連結も存在するが、一般には、２者を連結するには、互いの重なり部位が存在するものであり、この部位においてボルト等で締め付けるという形態が一般的であり、この意味においては、本発明の「重ね連結部」も同義であるが、本発明では、その重なり部が明確に存在するという意味において、この述語がもちいられている。
【００１３】
更に、固結手段とは、ネジ、接着剤による固定、爪等による係止も含まれる。
【００１４】
本発明に係る遊技機は、手段１（請求項１）として、
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型された複数の構成体（パーツ）からなり、
前記複数の構成体に夫々重ね連結部を設け、各重ね連結部は、互いに対向接当する連結支持面を有すると共に少なくもとも何れか一方の重ね連結部に補強リブを有し、該補強リブは、他方の重ね連結部に対向し接当又は接当可能とされた支持面を有し、該重ね連結部の前記連結支持面の周部の複数個所で固結手段によって互いに連結固定するように構成したことを特徴とする。
【００１５】
このようにセット板を樹脂により成型された複数の構成体（２パーツ）の連結により一体構成としたことで、セット板の成型に際して、セット板を一体成型するのに必要な大型の成型機が不要となり、大型成型設備を備えていなくても容易に成型できる。
また、複数の構成体の連結は、その重ね連結部において、即ち、各々が、互いに対向接当する連結支持面を有すると共に少なくもとも何れか一方の重ね連結部に補強リブを有し、該補強リブは、他方の重ね連結部に対向し接当又は接当可能とされた支持面を有するところの重ね連結部において、その連結支持面と補強リブとの合わせと、該重ね連結部の前記支持面の周部の複数個所で固結手段によって互いに連結固定するようにして行っているので、単純な平面と平面との連結と比べてより強固な連結を行い得るのであり、金属補強部材を用いることなく、この連結部での連結強度を上げることができ、その結果、元来重量のある払出ユニットを備えていると共にタンクに大量の遊技球が貯留されていることで更に高荷重がかかってもセット板に撓みが生じ難く、遊技球の払い出しに支障を来たさない。
【００１６】
このように構成することで、樹脂成型により大きな強度が望めない場合にも、複数のパーツの連結を単なる連結手段だけの連結とするのではなく、この連結部分に相互に接当する連結支持面を備えることで、特に高荷重のパーツ（払出機構を備える）と他方のパーツとの間の荷重伝播（垂直荷重のみではなく、全体の連結状態においては種々の方向の荷重がかかる）を面接当で受け止めるようにすることができて、局所的な連結部分に負荷が掛かる事を避け、全体として強固な連結状態を得ることができる。
尚、本発明において、前記固結手段による複数箇所で行う連結を、前記連結支持面の周部としているが、この周部は、連結支持面の周縁部分であることを特定しているものではなく、連結支持面の周囲部分ということであって、換言すると、その中央部分に複数の連結を集中させているものではないことを意味している。
【００１７】
本発明に係る遊技機は、手段２（請求項２）として、
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型され、前記払出機構を備えるように構成された第１パーツと、樹脂により成型され、少なくとも一つの制御基板を配設するように構成された第２パーツと、を有するように構成され、前記第１パーツの下部と第２パーツの一端部に夫々重ね連結部を設け、互いに連結固定するように構成されていることを特徴とする。
このように、前記払出機構を備えるように構成された第１パーツと、該第１パーツの下部に第２パーツの一端部を重ねて連結することで、互いに連結固定フレーム状に構成して強度のあるセット板が構成できる。これにより、重量のある前記払出機構を備え、タンクに大量の遊技球が貯留されてもセット板に撓みが生じ難く、遊技球の払い出しに支障を来たさないのである。
【００１８】
本発明に係る遊技機は、手段３（請求項３）として、
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型されると共に前記払出機構を備えるように形成された第１パーツと、樹脂により成型されると共に該第１パーツの下方に配設される第３パーツと、を有し、前記第１パーツは、前記貯留部の一側壁に沿って上下方向に伸びる側壁支持部と、該側壁支持部に連続すると共に前記貯留部の底壁に沿って前後方向に伸びる底壁支持部と、該底壁支持部に連続すると共に下方に垂下する連結部と、を有するとともに、少なくとも前記側壁支持部に対して前記貯留部を固定し、前記第３パーツは、前後方向に伸びる第２底壁支持部（上向き面）と、該第２底壁支持部に連続すると共に上下方向に伸びる第２連結部（連結支持面）と、を有し、前記第１パーツの連結部、及び前記第３パーツの第２連結部が、夫々対向する面を有してその所定箇所で互いに連結固定するように構成され、更に、前記連結固定がされたときに、前記第１パーツの底壁支持部の下方に、前記第３パーツの第２底壁支持部が接当若しくは近接するようにしたことを特徴とする。
【００１９】
このようにセット板が、第１パーツと第３パーツから構成され、その第１パーツに貯留部を支持する側壁支持部と底壁支持部とを有せしめ、少なくともその側壁支持部に対して前記貯留部を固定するようにしたことで、貯留部を安定的に固定することができ、また、第３パーツには、第２底壁支持部（上向き面）と第２連結部（連結支持面）とを有せしめたことで、両者の連結を、第２連結部（連結支持面）での面接当の連結だけでなく、第２底壁支持部（上向き面）による支持作用も発揮させることができて、両者の協同によって強固な連結ができたのである。
【００２０】
手段４：手段１乃至手段３の遊技機において、
前記第１パーツ及び前記第２パーツは、共通の取り付け部によって遊技機の本体に取り付けられていることを特徴とする。
このように、重ね連結部で連結された前記第１パーツ及び前記第２パーツを、共通の取り付け部、例えば、何れか一方に設けた取り付け部でもって遊技機の本体に取り付けることができるのであり、このような取り付け部を用いても、前記第１パーツ、第２パーツが互いに重ね連結部によって強固に連結されているから共通の取り付け部による遊技機本体への取り付けが可能なのである。
【００２１】
手段５：手段１乃至手段４の遊技機において、
遊技盤とは別体に構成されたセット板が遊技機の裏面側に配置され、該セット板は、前記遊技盤を固定する遊技機本体に対して取付けられ、前記遊技盤の裏面を覆う面上に開口を有することで枠状に形成されると共に前記開口の上側部から一方の側部に及ぶように払出機構が取り付けられ、前記開口の下側部には前記払出機構を制御する制御基板が取付けられ、前記払出機構と前記制御基板とが電気的に接続されるようにした遊技機であって、
前記セット板が、樹脂により成型され、遊技機の上部一端から他端側に伸び、次いで遊技機の一側部に沿って垂下して、裏面視において逆Ｌ字状に形成されると共に前記払出機構を備えるように構成された第１パーツと、樹脂により成型され、少なくとも一つの制御基板を配設するように構成され、遊技機の下部に幅方向に配設される第２パーツと、を有するように構成され、前記第１パーツの下部と第２パーツの一端部に夫々重ね連結部を設けて、該重ね連結部で互いに連結固定するように構成されていることを特徴とする。
このように、逆Ｌ字状の第１パーツと、該第１パーツの下部に第２パーツの一端部を重ねて連結することでフレーム状に構成して強度のあるセット板が構成できる。これにより、重量のある前記払出機構を備え、タンクに大量の遊技球が貯留されてもセット板に撓みが生じ難く、遊技球の払い出しに支障を来たさないのである。
【００２２】
手段６：手段２乃至手段５の遊技機において、
前記第１パーツの取り付け部が、遊技機本体に対して、片軸で縦軸回りに回動するように取り付けられていることを特徴とする。
このように構成することで、遊技盤の取り外し、板替え等に際して便利となる。
即ち、遊技盤を内枠に対して裏側から取り付けるように、内枠の裏側には、遊技盤取り付け部（遊技盤形状に対応する凹部）や固定部（固定具）が配設されており、従って、前記構成を用いてセット板を開放すると、遊技盤や固定具が露出され、この遊技盤を取り外すことが可能になる。このように、セット板を一つの部材として扉状に開放することで、遊技盤の取り外しができて、板替え等に際して非常に便利である。
そして、第１及び第２パーツの連結により一つのセット板として構成されていて、その第１パーツの取り付け部により遊技機の本体に取り付けられるようにしているので、製造工程を簡略化できる。
さらに、第２パーツに少なくとも一つの制御基板を配設する構成であるので、セット板を開放したときには、前記制御基板を移動させてその裏側を露出させることができ、点検作業を便利に行い得る。
【００２３】
手段７：手段３乃至手段６の遊技機において、
前記セット板が、前記第１パーツの他端部と前記第２パーツの他端とに連結される第３パーツを備えており、第１、第２及び第３パーツによって中央に開口が形成される枠形状に構成されていることを特徴とする。
このように、セット板が枠フレームの形態を採ることによって、全体としての強度を高めることができる。
そして、中央に開口を形成するようにしたことで、遊技盤裏面に突出するように取り付けられる制御基板又はセンターフレーム裏面突出部をこの中央開口内に納めることができ、これによってセット板を開放することなく制御基板などの点検作業を行うことができる。
【００２４】
手段８：手段３乃至手段７の遊技機において、
前記第１パーツの前記他端部と、前記第２パーツの他端部と、前記第３パーツの上下端部とに夫々重ね連結部が設けられ、これらの重ね連結部は、面接当を介して相互の荷重が伝達されるように、夫々連結支持面を備えていることを特徴とする。
このように構成することで、第３パーツと第１及び第２パーツとの連結を面接当を介して強固に連結できて、全体が枠フレームとなった状態で、相互に荷重を十分に伝播させて荷重を全体として受け止めて対向でき、局所的な撓み等を未然に回避でき、これによって遊技球がタンクに大量に貯留されてタンクが傾くことを未然に防止できる。
【００２５】
手段９：手段３乃至手段８の遊技機において、
前記第３パーツの上端部の重ね連結部に上向き面を設け、該上向き面を前記第１パーツに対して接当又は近接状態とするように構成してあることを特徴とする。
このように第３パーツの上端部の重ね連結部に上向き面を設けることで、払出ユニットを備える第１パーツを下方から受けとめて支持する状態が得られ、より強固な連結状態が得られると共に前記連結支持面と合わせて２面が重ね合わされることになって、相互連結状態と荷重支持状態がより強固となる。
【００２６】
手段１０：手段２乃至手段９の遊技機において、
前記第１パーツに、前記第２パーツに取り付けられる制御基板と配線により接続される基板を配置してあることを特徴とする。
各種の制御基板、その他の基板は、遊技機の裏面の限られた有効スペースに配置される必要があるが、その際、配線により接続される各基板を、第１及び第２パーツに取り付けても、これらが一体としてセット板が構成されてユニット化されているので、このセット板を遊技機に取り付ける前の工程で各基板の配線を繋ぐことが可能となり、製造時の工程の融通をつけることができる。第１及び第２パーツが連結されてセット板がユニット化されていない場合に、前記基板の配線接続は、遊技機に各セット板パーツを取り付けてから行わなければならず、一連の製造工程において処理できずに製造能率が悪くなるといった不都合があるが、上記の構成によってこうした問題は解消されるのである。
【００２７】
手段１１：手段３乃至手段１０の遊技機において、
前記第３パーツの上端部の重ね連結部の連結支持面が垂直に形成され、前記第１パーツの他端の重ね連結部の垂直の連結支持面に接当するよう構成され、且つ、前記上向き面が前記連結支持面の上縁から遊技機の前面側に向けて突出する補強リブに形成されていることを特徴とする。
このように、第３パーツが第１パーツを下から支持する上向き面を、第３パーツの重ね連結部の補強を行う補強リブに形成することで、第１パーツの支持機能と重ね部材の補強機能とを兼ね備えることができて、比較的強度を出し難い樹脂成型の第１パーツと第３パーツの連結強度を高めながら、上向き面と垂直な連結支持面の２面でもって相互に作用する荷重を伝達させあい、撓み発生を回避できることになる。
【００２８】
手段１２：手段３乃至手段１１の遊技機において、
前記第３パーツの上端部の重ね連結部の近傍位置に上向き段部が屈曲成型で形成され、該上向き段部から、前記連結支持面に直交して遊技機の前面側に伸びる上向きの立板が形成され、前記第１パーツの他端部から前記立板の外側に沿って前記上向き段部に接当又は近接する状態に垂下するガイド板が設けられていることを特徴とする。
このように、第３パーツの上端部に上向き段部を屈曲成型で設けることで、この段部の形成による第３パーツの強度を構造的に増強させることができながら、立板を形成することで、第１パーツと第３パーツとの組み付け、連結に際して、第１パーツを、上方から第３パーツに被せるときに（或いは第３パーツを下方から第１パーツに係入するときに、この立板に沿って移動させることで、位置あわせを楽に行い得ることができる。
また、遊技機の前面側に向けて伸びる前記ガイド板は、前記上向き段部に接当又は近接する状態に構成されているので、万一、タンクへの遊技球の異常貯留等で想定外の荷重が第１パーツに加わり、その他端部が撓むような事態が起きたとしても、その他端部のガイド板の長さのある下端が前記上向き段部の上面に線接触（板の厚みで見ると面接触でもある）で接当して支持されることになり、屈曲成型により構造的に強化された上向き段部において、ガイド板を介して第１パーツの撓みを受け止めることができる。
【００２９】
手段１３：手段３又は手段１２の遊技機において、
前記第３パーツの上端部の重ね連結部に、その外周縁に沿って立板に連続する状態で前記補強リブが延長されており、この補強リブと立板の内側にネジ止め用ボスが一体成型されていることを特徴とする。
このように、第３パーツを第１パーツに連結するための所定長さのネジを螺合させるのに必要なボス（本来、成型パーツの肉厚は比較的薄いものである：約３ｍｍ前後）を前記補強リブと一体とし、また、立板と一体とすることで、更にこのボスが支柱となって重ね連結部の強度を構造的に高めることができ、より頑丈な両者の連結が可能となる。
【００３０】
手段１４：手段３乃至手段１３の遊技機において、
前記第３パーツの下端部の重ね連結部の近傍位置に、屈曲成型による下向き支持面が形成され、前記第２パーツの他端部の重ね連結部の近傍位置に、前記下向き支持面に接当する屈曲成型による上向き支持面が形成されていることを特徴とする。
このように、第２パーツと第３パーツとの連結において、連結支持面の圧接による連結だけでなく、下向き支持面と上向き支持面との接当によって、この箇所において荷重を支持するようにすることで、連結部の局所的な荷重分担を減らし、合わせて屈曲成型による下向き支持面と上向き支持面の構造的な強度増加を図ることができて、全体として強固な連結状態を得ることができる。
【００３１】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００３２】
（パチンコ機の正面構成）
図１は本実施形態のパチンコ機１０の正面図であり、図２は外枠１１に対して内枠１２と前面枠セット１４とを開放した状態を示す斜視図である。但し、図２では便宜上、下皿ユニット１３が内枠１２から取り外された状態を示している。
【００３３】
図１，２に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００３４】
内枠１２の構成を、図３も用いて詳細に説明する。図３は、パチンコ機１０から前面枠セット１４を取り外した状態を示す正面図である（但し、図３では便宜上、遊技盤３０面上の遊技領城内の構成〔釘、センター役物等〕を空白で示している）。
【００３５】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。
【００３６】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。遊技球発射ハンドル１８は、下皿１５よりも右方で手前側に突出するように配設されている。遊技者による遊技球発射ハンドル１８の操作に応じて、遊技球発射装置（図外）によって遊技球が遊技盤３０の方へ打ち込まれるようになっている。遊技球発射装置３８は、遊技球発射ハンドル１８と後述するセットハンドル２２８と発射モータ２２９（図６参照）などで構成されている。音出力口２４は、下皿ユニット１３内あるいは背面に設けられたスピーカ（図示略）からの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片待ち支持されている。
【００３７】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３８】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００３９】
一方、前面枠セット１４の下部（上述の下皿１５の上方位置）には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４０】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。
【００４１】
次に、図４を用いて遊技盤３０の構成を説明する。図４は遊技盤３０の構成を示す正面図である。遊技盤３０は、天入賞口６１０、一般入賞口６００、左右１対の第１始動口６０１、これら第１始動口６０１の変形部であって第１始動口６０１より若干下方に設けられた第２始動口６０２、遊技領域の略中央に設けられた電動役物ユニット（センター役物）６０３等を備えている。これらの一般入賞口６００、第１始動口６０１、第２始動口６０２、電動役物ユニット６０３等は、遊技盤３０における、ルータ加工によって形成された各貫通穴にそれぞれに配設され、遊技盤３０前面側から木ネジ等により取り付けられている。前述の天入賞口６１０、一般入賞口６００、第１の始動口６０１、第２の始動口６０２に対応する部位には、それぞれ、天入賞口入球センサ６０９、一般入賞口入球センサ６０７、第１始動口入球センサ６０５、第２始動口入球センサ６０６が設けられており、これらセンサは、図示しない電気配線を通じて後述する主制御基板（主制御装置）に接続されている。そして、天入賞口６１０、一般入賞口６００、第１始動口６０１、第２始動口６０２および電動役物ユニット６０３に遊技球が入球した場合には、上記各検出センサで検出され、この検出センサの出力に基づいて、上皿１９（または下皿１５）へ所定数の賞品球が払い出される。
【００４２】
尚、上記入賞感知機構にて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００４３】
その他に、遊技盤３０の左右端には、上記一般入賞口６００を備えた装飾部材６３０が設けられる一方、遊技盤３０の下方には、上記第１始動口６０１、第２始動口６０２を備えた補助ユニット６０８が設けられている。また、遊技盤３０にはアウト口３６が設けられており、各種入賞装置等に入球しなかった遊技球はこのアウト口３６を通って図示しない球排出路の方へと案内されるようになっている。さらに、遊技盤３０には、遊技球の落下方向を適宜分散、調整等するために多数の釘が植設されているとともに、同様の機能を有する風車が配設されている。
【００４４】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、図３に示す奥面５０ａについての遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００４５】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５（図３参照）が取着されている。
【００４６】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。本実施形態では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００４７】
さらに本実施形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００４８】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部および左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００４９】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００５０】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００５１】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。
【００５２】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される、これにより、ファール球の全てがファール球通路６３に確実に案内されるようになり、ファール球と次に発射される遊技球との干渉が抑制される。
【００５３】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００５４】
図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている、前面枠セット１４を内枠１２から開放した状能（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００５５】
図３に示すように、樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００５６】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００５７】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パテンコ店内）用コンピュータヘ出力されるようになっている。また、前面枠セット１４が閉じられると、図５に示す前面枠セット１４の金属製の補強板１３１，１３２が図３に示す内枠１２の一対の金具９２に接触するようになっており、前面枠セット１４のアースが確保されている。
【００５８】
ここで、前述した前面枠セット１４について、図１，図５を参照しつつより詳細に説明する。図５は、前面枠セット１４の背面図である。前面枠セット１４には前記遊技領域のほとんどを外部から視認することができるよう略楕円形状の窓部１０１が形成されている。詳しくは、窓部１０１は、その左右側の略中央部が、上下側に比べて比較的緩やかに湾曲した形状となっている。なお、前記略中央部が直線状になるようにしてもよい。
【００５９】
また、パチンコ機１０の正面から見て窓部１０１の左端と前面枠セット１４の左端との間の最短距離（いわゆる左側部フレーム部分の左右幅：図５では右側に示されている）、すなわち開閉軸線側のフレーム幅は、前面枠セット１４自体の強度および支持強度を高めるために比較的大きく設定されている。この場合、図１および図３を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット１４の十分な強度および支持強度が確保可能となっている。
【００６０】
加えて、前面枠セット１４にはその周囲（例えばコーナー部分）に各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００６１】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６２】
また、図１に示すように、前面枠セット１４の左側の小窓１０７付近を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００６３】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側および上側の補強板１３２，１３３の連結部には直接の接触を避けるための樹脂パーツ１３５が介在されている。このように補強板１３２，１３３の連結部に樹脂パーツ１３５を介在させているので、ノイズが補強板１３１〜１３４でループすることを防止できる。また、図５の右側の補強板１３１にはその中間位置にフック状をなす係合爪１３１ａが設けられており、この係合爪１３１ａは、前面枠セット１４を閉じた状態で内枠１２の孔部１２ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００６４】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【００６５】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす前後一対のガラス１３７が各ガラス保持溝にて保持される。これにより、２枚のガラス１３７が前後に所定間隔を隔てて取着されるようになっている。
【００６６】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。
【００６７】
（パチンコ機の背面構成：特徴構成の一部）
次に、本発明の特徴とする第１、第２及び第３パーツ４０１，４０２，４０５からなるセット板４００を備えたパチンコ機１０の背面の構成を詳しく説明する。図６はパチンコ機１０の背面図であり、外枠１１が外された状態を示し、図７は、同様のパチンコ機１０の背面構成を示すが、ここでは払出制御装置３１１等（後述の「第２制御基板ユニット２０２」）が取り外された状態を示す。
図８は、セット板４００について、主要部品毎に分解して、パチンコ機の裏面側から見た分解斜視図であり、図９は、セット板について、主要部品毎に分解して、パチンコ機の前面側から見た分解斜視図であり、図１０は、セット板４００の第１パーツ４０１の端部と第３パーツ４０５の全体とを拡大し、裏面側から見た斜視図であり、図１１は、前記第２パーツ４０２の要部の縦断側面を示す。
【００６８】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを取付台（図１５参照）に搭載してユニット化すると共に、払出制御基板、発射制御基板および電源基板は、セット板４００の第２パーツ４０２を構成する排出通路盤２１７にユニット化している。ここでは便宜上、前者のユニットを「第１制御基板ユニット２０１（図１３参照）」と称し、後者のユニットを「第２制御基板ユニット２０２」と称することとする。
【００６９】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１〜２０２やその他構成が前後に重ねて配置されても、隠れた構成等を容易に確認することを可能とするための工夫でもある。
【００７０】
遊技盤３０は、樹脂ベース２０に囲まれた四角枠状の設置領域に設置され、内枠１２に設けられた複数（本実施形態では４カ所）の係止固定具によって脱落しないように固定されている。係止固定具は手動で回動でき、固定位置（ロック位置）と固定解除位置（アンロック位置）とを切り換えることができるように遊技盤３０の左右３ヵ所の係止固定具は金属片を折り曲げ形成したＬ型の金具であり、遊技盤３０の固定状態で内枠外方へ張り出さないよう構成されている。なお、遊技盤３０の下部１カ所の係止固定具は樹脂製のＩ型の留め具である。
【００７１】
図４にも示すように、遊技盤３０の中央には電動役物ユニット６０３が配置されている一方、電動役物ユニット６０３の下側には第１始動口６０１および第２始動口６０２を備えた補助ユニット６０８が配置されている。遊技盤３０の裏面には、電動役物ユニット６０３、補助ユニット６０８、および、装飾部材６３０を取り囲むようにして、遊技球回収機構を備えた裏枠セット（図示せず）が取り付けられている。
また、図８及び図９に示すように、遊技盤３０の下方には、内枠１２に樹脂製（例えばポリカーボネート樹脂製）の排出通路盤２１７が取り付けられており、該排出通路盤２１７には、排出球をパチンコ機１０外部へ案内するための排出通路２１８が形成されている。従って、図４に示す一般入賞口６００等に入賞した遊技球は何れも前記裏枠セットの回収通路を介して集合し、さらに排出通路盤２１７の排出通路２１８を介してパチンコ機１０外部に排出される。なお、アウト口３６（図３参照）も同様に排出通路２１８に通じており、何れの入賞口にも入賞しなかった遊技球も排出通路２１８を介してパチンコ機１０外部に排出される。前記排出通路盤２１７が二つ割りの構造とされている点については、後に詳述する。
【００７２】
また、内枠１２の裏面には、第２制御基板ユニット２０２やセット板４００の第１パーツ４０１を取り付けるための取付機構が設けられている。具体的には、内枠１２にはその右端部に長尺状の支持金具２３５が取り付けられており、その構成を図１２に示す。図１２に示すように、支持金具２３５は長尺板状の金具本体２３６を有し、その金具本体２３６より起立させるようにして、下方２カ所に第２制御基板ユニット用の支持孔部２３７が形成されると共に、上下方２ヵ所にセット板用の支持孔部２３７，２３８が形成されている。それら支持孔部２３７，２３８にはそれぞれ上下の方向で同軸心状の支持孔が形成されている。
そして、セット板４００の第１パーツ４０１には、図６乃至図９に示すように、その右端部に上下一対の縦軸心の支軸３８５が設けられており、この支軸３８５を図１２に示す支持孔部２３７，２３８に上方から挿通させることで、セット板４００が内枠１２に対して開閉可能に支持される。
【００７３】
その他、図６乃至図９に示すように、内枠１２の背面構成において、遊技盤３０の右下部には、後述する払出機構部３５２より払い出される遊技球を上皿１９、下皿１５、または排出通路２１８の何れかに振り分けるための遊技球分配部２４５が設けられている。
即ち、遊技球分配部２４５の開口部２４５ａは上皿１９に通じ、開口部２４５ｂは下皿１５に通じ、開口部２４５ｃは排出通路２１８に通じる構成となっている。図８に示すように、遊技球分配部２４５は、前記第１パーツ４０１にネジで締結固定されており、パチンコ機１０の上皿１９の排出口６７（図３参照）から異物を挿入操作するなどしても動かない、つまり遊技球分配部２４５が奥側に押されて遊技球分配部２４５と内枠１２との間に隙間が空くようなことが無いし、この隙間に異物を押入するなどによる不正を防止できる。
また、内枠１２の下端部には、下皿１５に設置されたスピーカの背後を囲むための樹脂製のスピーカボックスが取り付けられており、このスピーカボックスにより低音域の音質改善が図られている。
【００７４】
次に、第１制御基板ユニット２０１を、図１３〜図１６を用いて説明する。図１３は第１制御基板ユニット２０１の正面図（パチンコ機の裏面から見た）、図１４は同ユニット２０１の斜視図、図１５は同ユニット２０１の分解斜視図、図１６は同ユニット２０１を裏面から見た分解斜視図である。
【００７５】
第１制御基板ユニット２０１は、略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケース２６３に収容された構成とされる。
【００７６】
また、音声ランプ制御装置２６２は、例えば主制御装置２６１（主制御基板）または図示しない表示制御装置からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ケース２６５に収容されて構成されている。音声ランプ制御装置２６２上には電源中継基板２６６が搭載されており、後述する電源基板より供給される電源がこの電源中継基板２６６を介して前記表示制御装置および音声ランプ制御装置２６２に出力されるようになっている。
【００７７】
取付台２５１は、有色（例えば緑、青等）の樹脂材料（例えばポリカーボネート樹脂製）にて成形され、その表面に平坦状をなす２つの基板搭載面２５２，２５３が設けられている。これら基板搭載面２５２，２５３は直交する向きに延び、前後方向に段差をもって形成されている。但し、取付台２５１は無色透明または半透明の樹脂成型品であっても良い。
【００７８】
そして、一方の基板搭載面２５２上に主制御装置２６１（主制御基板）が横長の向きに配置されると共に、他方の基板搭載面２５３上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面２５２，２５３が前後方向に段差をもって形成されているため、これら基板搭載面２５２，２５３に主制御装置２６１および音声ランプ制御装置２６２を搭載した状態において各制御装置２６１，２６２はその一部を前後に重ねて配置されるようになる。つまり、図１４等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面２５２の後方にスペースが確保され、電動役物ユニット６０３やその電気配線等が無理なく設置できるようになっている。
【００７９】
図１５および図１６に示すように、主制御基板用の基板搭載面２５２には、左右２ヵ所に横長形状の貫通孔２５４が形成されている。これに対応して、主制御装置２６１の基板ケース２６３には、その裏面の左右２ヵ所に回動式の固定具２６７が設けられている。主制御装置２６１を基板搭載面２５２に搭載する際には、基板搭載面２５２の貫通孔２５４に固定具２６７が通され、その状態で固定具２６７が回動されて主制御装置２６１がロックされる。従って、上述の通り主制御装置２６１はその一部が浮いた状態で配置されるとしても、当該主制御装置２６１の脱落等の不都合が回避できる。また、主制御装置２６１は、セット板４００を開き、第１制御基板ユニット２０１を、軸線を軸心として開いた後に、この第１制御基板ユニット２０１（基板搭載面２５２）の裏面側から固定具２６７をロック解除しなければ、取り外しできないため、基板取り外し等の不正行為に対して抑止効果が期待できる主制御基板用の基板搭載面２５２にはその裏面に格子状のリブ２５５が設けられている。
【００８０】
取付台２５１には、図１４等の左端面に上下一対の支軸２５６が設けられており、この支軸２５６を支持金具に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を被締結孔にはめ込むこと等により、第１制御基板ユニット２０１が遊技盤３０に固定されるようになる。
【００８１】
第２制御基板ユニット２０２は、セット板４００の第２パーツ４０２を構成する排出通路盤２１７でもってユニット化されているが、これには、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。また、発射制御装置３１２により、遊技者による遊技球発射ハンドル１８の操作に従い発射モータ２２９の制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８２】
上記払出制御装置３１１、発射制御装置３１２、電源制御装置３１３およびカードユニット接続基板３１４は、透明樹脂材料等よりなる基板ケース３１５，３１６，３１７，３１８にそれぞれ収容された構成とされる。
【００８３】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られるようになっている。
また、電源制御装置３１３にはＲＡＭ消去スイッチ３２３が設けられている。
【００８４】
（特徴構成：セット板）
次に、図６乃至図１１に基づいて、本発明の特徴とする第１、第２及び第３パーツ４０１，４０２，４０５からなるセット板４００に関して詳細な説明をする。
本発明の特徴とする第１、第２及び第３パーツ４０１，４０２，４０５からなるセット板４００を備えたパチンコ機１０の背面の構成を詳しく説明する。図６はパチンコ機１０の背面図であり、外枠１１が外された状態を示し、図７は、同様のパチンコ機１０の背面構成を示すが、ここでは払出制御装置３１１等（後述の「第２制御基板ユニット２０２」）が取り外された状態を示す。
図８は、セット板４００について、主要部品毎に分解して、パチンコ機の裏面側から見た分解斜視図であり、図９は、セット板４００について、主要部品毎に分解して、パチンコ機の前面側から見た分解斜視図であり、図１０は、セット板４００の第１パーツ４０１の端部と第３パーツ４０５の全体とを拡大し、裏面側から見た斜視図であり、図１１は、主にセット板４００の第２パーツ４０２の縦断側面図である。
【００８５】
セット板４００は例えばＡＢＳ樹脂により成型されており、このセット板の第３パーツ４０５には、パチンコ機後方に突出し横長の略直方体形状をなす保護カバー部３５４の一側部が開閉自在に枢着されている。この保護カバー部３５４は、左右側面および上面が閉鎖されかつ下面のみが開放された形状をなし、少なくとも電動役物ユニット（センター役物）６０３を囲むのに十分な大きさを有する（但し、本実施形態では、前述の音声ランプ制御装置２６２も合わせて囲む構成となっている）。この保護カバー部３５４の背面には多数の通気孔３５４ａが設けられている。この通気孔３５４ａは各々が長孔状をなし、それぞれの通気孔３５４ａが比較的近い位置で隣り合うよう設けられている。
【００８６】
また、この保護カバー３５４は、図示はないが、主制御基板のコネクタ接続部分を覆い、ＲＯＭなどが搭載されている部分は覆わないような大きさに構成されており、更に、軸の逆側にネジ留め部があり、これを破断ネジで留めることにより保護カバーの開放が出来なくなるように構成し、以って、不正に基板が取り付けられる等の不正行為を防止できるようにしている。
【００８７】
また、保護カバー部３５４の他側部は、図示していないが、その上下方向の略中間位置において、側縁からの切り込みによって舌片状の係合部を形成しており、前記一側部の枢着による開閉操作に際して、これを閉じるときに、前記係合部の外側に形成された突起部が第１パーツ４０１の側壁に内接して弾性変形しつつ嵌合され、該突起部がその側壁の端部を過ぎると弾性復元して前記側壁の端部に突起部が係合するように構成されている。
この係合部を弾性変形させて前記突起部の係合を解除してやることで、この保護カバー部３５４を、前記枢着軸を中心にして回動させて開くことができる
【００８８】
次に、前記セット板４００の第１パーツ４０１について述べると、遊技盤３０とは別体に構成されたセット板４００が遊技機であるパチンコ機１０の裏面側に配置され、このセット板４００に払出ユニット４０４が取り付けられている。
このセット板４００に取り付けられる払出ユニット４０４は、図７及び図８に示すように、遊技球を貯留可能なタンク３５５、タンクレール３５６等からなる貯留部５００と、遊技球の払出動作を行う払出装置３５８と、払出装置３５８の下流側で遊技球を誘導する誘導通路とを有するものであり、遊技球を払い出すための一連の機構がユニット化されたものを言う。
【００８９】
前記セット板４００は、パチンコ機１０の上部一端（裏面視では左端）から他端側（右端）に伸び、次いでパチンコ機１０の一側部（右側部）に沿って垂下して、裏面視において逆Ｌ字状に形成されると共に前記払出ユニット４０４を備えるように構成された第１パーツ４０１と、少なくとも一つの制御基板を配設するように構成され、パチンコ機１０の下部に幅方向に配設される第２パーツ４０２とで構成されている。この実施例では、前記少なくとも一つの制御基板は、払出制御装置３１１の制御基板をいう。
前記第１パーツ４０１の下部と第２パーツ４０２の一端部に夫々重ね連結部４０１Ａ，４０２Ａを設けて、該重ね連結部４０１Ａ，４０２Ａで互いに連結固定するように構成されており、且つ、前記第１パーツ４０１の取り付け部、ここでは、上下一対の下向きに突設された支軸３８５によってパチンコ機１０の本体に取り付けられている。このパチンコ機１０の本体とは、ここでは、第１パーツ４０１が取り付けられる内枠１２を言う。
【００９０】
上記の払出ユニット４０４の払出機構部３５２について述べると、第１パーツ４０１に形成されたタンク３５５の設置場所に、上方に開口したタンク３５５が設けられており、このタンク３５５には遊技ホールの島設備から供給される遊技球が逐次補給される。タンク３５５の下方には、横方向２列（この実施例では２条の溝状構造が採用されている）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は払出通路（図外）等を通じて上皿１９に供給される。
【００９１】
前記タンク３５５は、図７及び図８に示すように、その両端部においてネジ留め部３５５Ａ及び３５５Ｂが突設され、前記第１パーツ４０１の上部の裏面に、前記タンク３５５の本体部を嵌めこむことができるように突出されたボス部４０１Ｅ，４０１Ｆに、裏面側から接当されて、ネジ３５５ａ及び３５５ｂによって止められている。
また、同様に、前記タンクレール３５７についても、ネジ３５７ａ等によって第１パーツ４０１の上部の裏面にネジ留めされている。
【００９２】
タンクレール３５６と、当該タンクレール３５６に振動を付加するためのバイブレータ３６０とが一体化となるようにユニット化されている。つまり、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００９３】
払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００９４】
タンク３５５から払出通路に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
なお、図６に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータヘ出力されるようになっている。
【００９５】
そして、図８、図９、図１０に示すように、前記第１及び第２パーツ４０１，４０２の重ね連結部４０１Ａ，４０２Ａが、面接当を介して相互の荷重が伝達されるように、夫々比較的大きな面積を有する連結支持面４０１Ｂ、４０２Ｂを備えている。この構成は、樹脂成型により大きな強度が望めない場合にも、第１及び第２パーツ４０１，４０２の連結を単なる連結手段だけの連結とするのではなく、この連結部分に相互に接当する連結支持面４０１ａ、４０２ａを備えることで、特に重量のある第１パーツ４０１と他方の第２パーツ４０２との間の荷重伝播（垂直荷重のみではなく、全体の連結状態においては種々の方向の荷重がかかる）を面接当で受け止めるようにすることができて、局所的な連結部分に負荷が掛かる事を避け、全体として強固な連結状態を得ることができるようにするためのものである。
【００９６】
更に、図１０に示すように、前記第１パーツ４０１は、前記タンク３５５からなる前記貯留部５００の一側壁に沿って上下方向に伸びる側壁支持部５０１と、該側壁支持部５０１に連続すると共に前記貯留部５００の底壁に沿って前後方向に伸びる底壁支持部５０２と、該底壁支持部５０２に連続すると共に下方に垂下する連結部４０１Ｂと、を有するとともに、少なくとも前記側壁支持部５０１に対して前記貯留部５００を固定してある（図７及びその説明参照）。
【００９７】
そして、前記第３パーツは、前後方向に伸びる第２底壁支持部（上向き面４０５ｃを有する）５０３と、該第２底壁支持部５０３に連続すると共に上下方向に伸びる第２連結部（連結支持面４０５ａを有する）５０４とを有し、前記第１パーツ４０１の連結部４０１Ｂ及び前記第３パーツ４０５の第２連結部５０４が、夫々対向する面（連結支持面４０１ｂ，連結支持面４０５ａ）を有してその所定箇所で互いに連結固定するように構成されている。また、前記連結固定がされたときに、前記第１パーツ４０１の底壁支持部５０２の下方に、前記第３パーツ４０５の上向き面４０５ｃを有する第２底壁支持部５０３が接当若しくは近接するように構成してある。これらの構成については、後にも言及する。
【００９８】
また、上述したように、前記第１パーツ４０１の取り付け部、即ち、上下一対の下向きに突設された支軸３８５が、パチンコ機の本体である内枠１２に対して、片軸（片側支持）で縦軸回りに回動するように取り付けられている。このように構成することで、遊技盤３０の取り外し、板替え等に際して、第１パーツ４０１を扉のように開くことができるので便利となる。
即ち、遊技盤３０を内枠１２に対して裏側から取り付けるように、内枠１２の裏側には、遊技盤３０取り付け部（遊技盤形状に対応する凹部）や固定部（固定具）が配設されており、従って、前記構成を用いてセット板４００を開放すると、遊技盤３０や固定具が露出され、この遊技盤３０を取り外すことが可能になる。このように、セット板４００を一つの部材として扉状に開放することで、遊技盤の取り外しができて、板替え等に際して非常に便利となるのである。
【００９９】
更に、本発明においては、前記セット板４００は、前記第１パーツ４０１の他端部と前記第２パーツ４０２の他端とに連結される第３パーツ４０５を備えており、第１、第２及び第３パーツ４０１，４０２，４０５によって中央に開口が形成される枠形状に構成されているのである。このように、セット板４００が枠フレームの形態を採ることによって、全体としての強度を高めているのである。そして、中央に開口を形成するようにしたことで、遊技盤３０裏面に突出するように取り付けられる制御基板乃至センターフレーム裏面突出部をこの中央開口内に納めることができ、これによってセット板４００を開放することなく制御基板などの点検作業を行うことができる。
【０１００】
上記第１パーツ４０１の前記他端部と、前記第２パーツ４０２の他端部と、前記第３パーツ４０５の上下端部とに夫々重ね連結部４０１Ｂ（第２連結部５０４を構成）、４０２Ｂ、４０５Ａ，４０５Ｂが設けられ、これらの重ね連結部４０１Ｂ、４０２Ｂ、４０５Ａ，４０５Ｂは、面接当を介して相互の荷重が伝達されるように、上記連結支持面４０１ａ、４０２ａと同様に比較的面積のある連結支持面４０１ｂ，４０２ｂ，４０５ａ，４０５ｂを備えている。このように構成することで、第３パーツ４０５と第１及び第２パーツ４０１，４０２との連結を、面接当を介して強固に連結できて、全体が枠フレームとなった状態で、相互に荷重を十分に伝播させて荷重を全体として受け止めて対向でき、局所的な撓み等を未然に回避でき、これによって遊技球がタンク３５５に大量に貯留されてタンク３５５が傾くことを未然に防止できる
【０１０１】
更に、前記第３パーツ４０５の上端部の重ね連結部４０５Ａに上向き面４０５ｃを設けて第２底壁支持部５０３を構成し、該上向き面４０５ｃを前記第１パーツ４０１の底面に対して近接状態で連結が行われるように構成してある。このように第３パーツ４０５の上端部の重ね連結部４０５Ａに上向き面４０５ｃを設けることで、払出ユニット４０４を備える第１パーツ４０１を下方から受けとめて支持する状態が得られ、より強固な連結状態が得られると共に前記連結支持面４０５ａと合わせて２面が重ね合わされることになって、面接当の相互連結状態と前記近接固定による荷重支持状態がより強固となる。
【０１０２】
また、前記第１パーツ４０１に、前記第２パーツ４０２に取り付けられる制御基板と配線により接続される基板を配置してある。具体的には、前記第２パーツ４０２に取り付けられる制御基板は、払出制御装置３１１の制御基板であり、払出制御装置３１１から払出装置３５８への払出指令の信号を中継する払出中継基板３８１である。
このように構成することで、次の便宜が図れる。
即ち、各種の制御基板は、遊技機の裏面の限られた有効スペースに配置される必要があるが、その際、配線により接続される各基板を、第１及び第２パーツ４０１，４０２に取り付けても、これらが一体としてセット板４００が構成されてユニット化されているので、このセット板４００を遊技機に取り付ける前の工程で各基板の配線を繋ぐことが可能となり、製造時の工程の融通をつけることができる。第１及び第２パーツ４０１，４０２が連結されてセット板４００がユニット化されていない場合には，前記基板の配線接続は、パチンコ機に各セット板パーツを取り付けてから行わなければならず、一連の製造工程において処理できないところから製造能率が悪くなるといった不都合があるが、上記のように構成することで、このような問題は解消されるのである。
【０１０３】
更に、前記第３パーツ４０５の上端部の重ね連結部４０５Ａの連結支持面４０５ａが垂直に形成され、前記第１パーツ４０１の他端の重ね連結部４０１Ｂの垂直の連結支持面４０１ｂに接当するよう構成され、且つ、前記上向き面４０５ｃが前記連結支持面４０５ａの上縁からパチンコ機の前面側に向けて突出する補強リブ４０５Ｄに形成されている。
この実施例では、前記補強リブ４０５Ｄは、連結支持面４０５ａの上縁（外縁）に沿って設けられているが、必ずしも周縁でなくともよく、その中央部に突出させ、他方の連結支持面４０１ｂにはこれが嵌入できる凹部を形成したりする構造でも良い。
かかる構造は、第３パーツ４０５が第１パーツ４０１を下から支持する上向き面４０５ｃを、第３パーツ４０５の重ね連結部４０５Ａの補強を行う補強リブ４０５Ｄに形成することで、第１パーツ４０１の支持機能と、第３パーツ４０５自体の重ね連結部４０５Ａの補強機能とを兼ね備えさせるもので、比較的強度を出し難い樹脂成型の第１パーツ４０１と第３パーツ４０５の連結強度を高めながら、上向き面４０５ｃと垂直な連結支持面４０５ａの２面でもって相互に作用する荷重を伝達させあい、撓み発生を回避できることになる。
【０１０４】
更に、前記第３パーツ４０５の上端部の重ね連結部４０５Ａの近傍位置に上向き段部４０５Ｅが屈曲成型で形成され、該上向き段部４０５Ｅから、前記連結支持面４０５ａに直交してパチンコ機の前面側に伸びる上向きの立板４０６が形成され、前記第１パーツ４０１の他端部から前記立板４０６の外側に沿って前記上向き段部４０５Ｅに近接する状態に垂下するガイド板４０７が設けられている。前記立板４０６は、図９及び図１０に示すように、パチンコ機の前面側に向かう程幅が狭くなるように、側面視で三角形をなすように構成されている。このように、第３パーツ４０５の上端部に上向き段部４０５Ｅを屈曲成型で設けることで、この段部４０５Ｅの形成による第３パーツ４０５の強度を構造的に増強させることができながら、立板４０６を形成することで、第１パーツ４０１と第３パーツ４０５との組み付け、連結に際して、第１パーツ４０１を、上方から第３パーツ４０５に被せるときに（或いは第３パーツ４０５を下方から第１パーツ４０１に係入するときに、この立板４０６に沿ってガイドさせながら移動させることで、位置あわせを楽に行い得ることができる。
【０１０５】
また、パチンコ機の前面側に向けて伸びる前記ガイド板４０７は、前記上向き段部４０５Ｅに接当又は近接する状態に構成されているので、万一、タンク３５５への遊技球の異常貯留等（詰まりによる）で予想以上の荷重が第１パーツ４０１に加わり、その他端部が撓むような事態が起きたとしても、その他端部のガイド板４０７の長さのある下端が前記上向き段部４０５Ｅの上面に線接触（板の厚みで見ると面接触でもある）で接当して支持されることになり、屈曲成型により構造的に強化された上向き段部４０５Ｅにおいて、ガイド板４０７を介して第１パーツ４０１の撓みを受け止めることができる。
【０１０６】
更に、前記第３パーツ４０５の上端部の重ね連結部４０５Ａに、その外周縁に沿って前記立板４０６に連続する状態で前記補強リブ４０５Ｄが延長されており、この補強リブ４０５Ｄと立板４０６の内側に、ネジ止め用ボス４０８（ここでは３個）が所定の間隔で一体成型されている。その１個は、重ね連結部４０５Ａの上縁側に配置され、２個が外側縁の立板４０６の内側の広幅部に一体的に配置されている。前記重ね連結部４０５Ａは、図８乃至図１０に示されているように、ここでは、裏面視で、全体としては矩形であるが、外側に位置する上部コーナーが斜めにカットされた角落ち形状に構成され、この形状に対応させて、第１パーツ４０１の端部のガイド板４０７が、この角落ち形状に沿うように屈曲形成されている。勿論、この形状に合わせて前記補強リブ４０５Ｄもその角落ち形状の外周縁に沿って伸びている。
【０１０７】
そして、前記ネジ止め用ボス４０８の裏面側が凹形状になっており、第１パーツ４０１の連結部４０１Ｂ（４０１ｂ）には、それに対応した支柱が設けられていることによって、位置決めできるとともに強度増加の効果も奏する。
このように、第３パーツ４０５を第１パーツ４０１に連結するための所定長さのネジを螺合させるのに必要なボス（因みに、この実施例では３ｍｍの肉厚としている）を前記補強リブ４０５Ｄと一体とし、また、立板４０６と一体とすることで、更にこのボスが支柱となって重ね連結部４０５Ａの強度を構造的に高めることができる
他方、第１パーツ４０１側の重ね連結部４０１Ｂにも、前記ネジ止め用ボス４０７に対向する位置にネジ止め用ボス４０９が夫々設けられている（図１０参照）。
尚、第１パーツ４０１と第２パーツ、または第２パーツと第３パーツ、の各連結固定部分を、このような構成にすることができる。
【０１０８】
また、前記第３パーツ４０５の下端部の重ね連結部４０５Ｂの近傍位置に、屈曲成型による下向き支持面４０５ｄが形成され、前記第２パーツ４０２の他端部の重ね連結部４０２Ｂの近傍位置に、前記下向き支持面４０５ｄに接当する屈曲成型による上向き支持面４０２ｄが形成されている。このように、第２パーツ４０２と第３パーツ４０５との連結において、両連結支持面４０２ｂ，４０５ｂの圧接による連結だけでなく、下向き支持面４０５ｄと上向き支持面４０２ｄとの接当によって、この箇所において荷重を支持するようにすることで、重ね連結部４０５，４０２同士の局所的な荷重分担を減らし、合わせて屈曲成型による下向き支持面４０５ｄと上向き支持面４０２ｄの構造的な強度増加を図ることができて、全体として強固な連結状態を得ることができる。
【０１０９】
次に、第２パーツ４０２の二つ割り構成について、図１１に基づき、簡略に述べる。
この実施例では、第２パーツ４０２は、排出通路盤２１７によって構成されており、この排出通路盤２１７は、分割ライン４１０で前後の方向に分割できる二つ割りの前後板４０３Ａ，４０３Ｂを所定の位置でネジ止めすることによって連結して構成されているものである。この排出通路盤２１７には、内部に排出通路２１８が形成され、上部にパチンコ機１０の幅方向に長く形成された受け口４１８が設けられている。従って、入賞球は、遊技盤３０の裏面の通路４１９（実際には、各入賞口に対応して夫々形成されている）を通り、アウト球は、遊技盤３０面上からアウト口３６を通り、前記受け口４１８を通って下方の排出通路２１８に至り、パチンコ機１０の外に排出されるように構成されている。
【０１１０】
そして、この第２パーツ４０２の左右端部には、第１パーツ４０１の下端部の重ね連結部４０１Ｂと、第３パーツ４０５の下端部の重ね連結部４０５Ｂとに重ね合わされて連結される重ね連結部４０２Ａ，４０２Ｂが設けられ、これらの重ね連結部４０２Ａ，４０２Ｂには、それぞれ、前記第１パーツ４０１の下端部の重ね連結部４０１Ｂの連結支持面４０１ｂ及び第３パーツの下端部の重ね連結部４０５Ｂの連結支持面４０５ｂに夫々対応する連結支持面４０２ａ，４０２ｂが設けられていることは、上述した通りである。
【産業上の利用可能性】
【０１１１】
本発明は、セット板を、互いに重なり合う部位で連結する複数の構成体（例えば第１パーツと第２パーツ）から構成し、払出機構をその一つの構成体に設けるという形態を採っているので、遊技盤の裏面に払出機構を備える遊技機であれば本発明を適用できるものであり、その利用分野は広い。
【符号の説明】
【０１１２】
２０１  第１制御基板ユニット
２０２  第２制御基板ユニット
４００  セット板
４０１  第１パーツ
４０１Ａ  第１パーツの一方の重ね連結部
４０１Ｂ  第１パーツの他方の重ね連結部
４０２  第２パーツ
４０２Ａ  第２パーツの一方の重ね連結部
４０２Ｂ  第２パーツの他方の重ね連結部
４０４  払出ユニット
４０５  第３パーツ
４０５Ａ  第３パーツの一方の重ね連結部
４０５Ｂ  第３パーツの他方の重ね連結部
４０６  立板４０６
４０８  ネジ止め用ボス
【図１】
2011167554.tif 000003
【図２】
2011167554.tif 000004
【図３】
2011167554.tif 000005
【図４】
2011167554.tif 000006
【図５】
2011167554.tif 000007
【図６】
2011167554.tif 000008
【図７】
2011167554.tif 000009
【図８】
2011167554.tif 000010
【図９】
2011167554.tif 000011
【図１０】
2011167554.tif 000012
【図１１】
2011167554.tif 000013
【図１２】
2011167554.tif 000014
【図１３】
2011167554.tif 000015
【図１４】
2011167554.tif 000016
【図１５】
2011167554.tif 000017
【図１６】
2011167554.tif 000018